(57)【要約】【課題】  設備コストを最小に抑えて、安定したスクリーン印刷版の製造を簡易に行うことが可能なスクリーン印刷版の製造方法を提供する。【解決手段】  メッシュスクリーン２が版枠４に張設されているが当該メッシュスクリーン２の両面（符号２ａ，２ｂ）には感光性樹脂層が形成されていないスクリーン版をインクジェットプリンタ１０の基台１４の所定位置に載置し、メッシュスクリーン２が版枠４と相対していない側の面（符号２ａ）に向けてインクジェットプリンタ１０の印刷ヘッド１２から光硬化性インク３を吐出しメッシュスクリーン２に描画しながら相対位置を移動させてインクジェットプリンタ１０の光照射ランプ１３から光を照射しメッシュスクリーン２の光硬化性インク３を硬化させて、スクリーン印刷版１とする。【選択図】  図２
2015131456.tif 000002
【特許請求の範囲】
【請求項１】
メッシュスクリーンが版枠に張設されているが当該メッシュスクリーンの両面には感光性樹脂層が形成されていないスクリーン版をインクジェットプリンタの基台の所定位置に載置し、前記メッシュスクリーンが前記版枠と相対していない側の面に向けてインクジェットプリンタの印刷ヘッドから光硬化性インクを吐出し前記メッシュスクリーンに描画しながら相対位置を移動させて前記インクジェットプリンタの光照射ランプから光を照射し前記メッシュスクリーンの光硬化性インクを硬化させてスクリーン印刷版とすることを特徴とするスクリーン印刷版の製造方法。
【請求項２】
前記メッシュスクリーンが前記版枠と相対していない側の面をＡ面とし、前記Ａ面と反対側のＢ面に撥水性シートを接しさせた状態で前記Ａ面に描画しながら硬化させることを特徴とする請求項１記載のスクリーン印刷版の製造方法。
【請求項３】
前記メッシュスクリーンが前記版枠と相対していない側の面をＡ面とし、前記Ａ面と反対側のＢ面に粘着性フィルムを貼着させた状態で前記Ａ面に描画しながら硬化させ、その後、前記粘着性フィルムを剥離させることを特徴とする請求項１記載のスクリーン印刷版の製造方法。
【請求項４】
硬質材からなるメッシュスクリーンの両面に感光性樹脂層が形成されていない状態でインクジェットプリンタの基台の所定位置に載置し、前記メッシュスクリーンが版枠と相対しない側の面に向けてインクジェットプリンタの印刷ヘッドから光硬化性インクを吐出し前記メッシュスクリーンに描画しながら相対位置を移動させて前記インクジェットプリンタの光照射ランプから光を照射し前記メッシュスクリーンの光硬化性インクを硬化させ、その後、前記メッシュスクリーンを版枠に接合してスクリーン印刷版とすることを特徴とするスクリーン印刷版の製造方法。
【請求項５】
前記光硬化性インクが紫外線硬化インクであり、前記光照射ランプが紫外線照射ランプであることを特徴とする請求項１から４のいずれか一項記載のスクリーン印刷版の製造方法。
【請求項６】
前記メッシュスクリーンに描画しながら硬化させる作業を複数回繰り返すことを特徴とする請求項１から５のいずれか一項記載のスクリーン印刷版の製造方法。
【発明の詳細な説明】
【技術分野】
【０００１】
本発明は、スクリーン印刷版の製造方法に関する。
【背景技術】
【０００２】
スクリーン印刷は、シルク印刷ともいわれ、メッシュスクリーンが版枠に張設され描画されたスクリーン印刷版を用いて、スキージなどによってインクをメッシュスクリーンの孔を通して被印刷物に転写する印刷方式である。スクリーン印刷は、プリント回路基板、液晶ディスプレイ用基板、文房具、スポーツ用品、Ｔシャツ、陶磁器、看板、ポスター、ステッカー、シート、標識、旗など、多彩な媒体に印刷できるため、工業生産に適しており広範囲に普及している。
【０００３】
一般に、スクリーン印刷版は、メッシュスクリーンに感光乳剤を塗布して感光性樹脂層を形成し、写真製版したネガフィルムまたはポジフィルムをフォトマスクとして前記メッシュスクリーンに密着させて露光し現像することで、スクリーン印刷版となる。
【０００４】
しかし、前記フォトマスクを製作するには多数の工程を要する。このため、前記フォトマスクを製作する工程を省いたスクリーン印刷版の製造方法が提案されている。
【０００５】
特許文献１には、スクリーン印刷版の製造方法に関し、矩形の枠に張られたスクリーンおよび当該スクリーンの一方の面に形成された感光性樹脂層を備えたスクリーン版を用意し、前記枠と同一厚さで、当該枠内に納まる長さの支持板として、それぞれ幅および長さが異なるものを複数枚用意し、前記スクリーン版を、前記スクリーンの感光性樹脂層が形成されていない面が上向きとなるように、平坦な載置面に載せ、前記スクリーンのたるみを防止するために、前記スクリーン版の枠内における前記スクリーンと前記載置面の間に、少なくとも１枚の支持板を挟み、この状態で、前記スクリーンの感光性樹脂層が形成されていない面に、インクジェットプリンタを用いて、遮光性インクにより画像を印刷し、前記スクリーンにおける画像が形成された面の側から前記感光性樹脂層を露光して、当該感光性樹脂層に前記画像を転写すること（その請求項１）、が記載されている。
【０００６】
特許文献２には、スクリーン印刷版の製造方法に関し、水溶性シートとスクリーン印刷用メッシュを貼り合わせる工程と、前記スクリーン印刷用メッシュ側より紫外線硬化インクで所定のパターンを形成し、紫外線を照射させ前記紫外線硬化インクを硬化させる工程と、前記紫外線硬化インクを硬化させた後、前記水溶性シートを除去する工程とを有すること（その請求項１）、紫外線硬化インクジェットプリンタを使用すること（その請求項３）、が記載されている。
【０００７】
特許文献３には、スクリーン印刷版の製造方法に関し、基材上に基材と剥離可能なＰＶＢ樹脂、ＰＶＡ樹脂、セルロース系樹脂から選ばれる樹脂からなる厚みが３〜１００μｍである剥離層を設けたシートとスクリーン印刷用メッシュを重ね合わせて加熱圧着して貼り合わせる工程と、前記スクリーン印刷用メッシュ側より紫外線硬化インクで所定のパターンを形成し、紫外線を照射させ前記紫外線硬化インクを硬化させる工程と、前記紫外線硬化インクを硬化させた後、前記基材を剥離した後、スクリーン印刷用メッシュに残存する余分な樹脂を水洗いにより取り除く工程とを有すること（その請求項１）、紫外線硬化インクジェットプリンタを使用すること（その請求項３）、が記載されている。
【先行技術文献】
【特許文献】
【０００８】
【特許文献１】特許第３９９０２３３号公報
【特許文献２】特許第４５３８５９２号公報
【特許文献３】特許第５１１９５３７号公報
【発明の開示】
【発明が解決しようとする課題】
【０００９】
しかしながら、特許文献１から３記載のスクリーン印刷版の製造方法は、前記フォトマスクを必要としないが、メッシュスクリーンに感光乳剤を塗布して感光性樹脂層を形成する工程と、前記感光性樹脂層を露光して現像する工程が必須である。このため、メッシュスクリーンに感光乳剤を塗布して感光性樹脂層を形成するための設備と前記感光性樹脂層を露光して現像する設備は依然として必要であり、これら設備コスト及び設備スペースが負担となるうえ、現像液や洗浄液などの薬液を大量に消費することで環境負荷が増大する。
【００１０】
そこで、本発明の目的は、設備コストを最小に抑えて、安定したスクリーン印刷版の製造を簡易に行うことが可能なスクリーン印刷版の製造方法を提供することにある。
【課題を解決するための手段】
【００１１】
本発明のスクリーン印刷版の製造方法は、メッシュスクリーンが版枠に張設されているが当該メッシュスクリーンの両面には感光性樹脂層が形成されていないスクリーン版をインクジェットプリンタの基台の所定位置に載置し、前記メッシュスクリーンが前記版枠と相対していない側の面に向けてインクジェットプリンタの印刷ヘッドから光硬化性インクを吐出し前記メッシュスクリーンに描画しながら相対位置を移動させて前記インクジェットプリンタの光照射ランプから光を照射し前記メッシュスクリーンの光硬化性インクを硬化させてスクリーン印刷版とすることを特徴とする。
【００１２】
本発明によれば、メッシュスクリーンに感光乳剤を塗布して感光性樹脂層を形成するための設備と前記感光性樹脂層を露光して現像する設備が不要となるので製造工程が簡略化できるうえ、現像液や洗浄液などの薬液を消費しないので環境負荷が抑えられる。すなわち、本発明によれば、メッシュスクリーンの両面に感光性樹脂層が形成されていないスクリーン版にインクジェットで描画するので、メッシュスクリーンに感光乳剤を塗布して感光性樹脂層を形成すること自体がないから安定した描画作業を簡易に行うことができる。そして、描画しながら前記メッシュスクリーンの光硬化性インクを硬化させるので、短時間でスクリーン印刷版を仕上げることができる。
【００１３】
前記メッシュスクリーンは、合成繊維や金属糸の織物から構成される。合成繊維としては、ナイロン、ポリエステル、これらの複合繊維等が挙げられる。熱可塑性樹脂の合成繊維からなる織物であることで、ほつれ難くすることが容易である。描画の作業性を考慮した場合、黄色、白色、赤色などの有色が選定される。黄色は、光がまっすぐに進み易くなることから好ましい。前記メッシュスクリーンの色を、自然色とする場合もある。前記メッシュスクリーンの色は、外観上、透明又は半透明に見える場合もある。
前記メッシュスクリーンの厚み、メッシュアカウント、線径、オープニング、その他の規格は、被印刷物、印刷インキ、その他の印刷条件に応じて適宜設定される。
【００１４】
前記版枠は、アルミニウムやステンレスなどの金属製が一般的であるが、木製の版枠とする場合もある。前記版枠の形状は、四角枠が一般的であるが、多角形枠や丸形枠とする場合もある。前記スクリーン版は既知のスクリーン版が適用される。
【００１５】
前記光硬化性インクは、既知のインクジェットプリント用光硬化性インクが適用される。前記光硬化性インクの色としては、描画の識別性を考慮した場合、前記メッシュスクリーンの色とは異なる色が選定され、黒色、赤色、青色、緑色などの有色が選定される。黒色は、画像のエッジが峻別し易くなることから好ましい。前記光硬化性インクの色を、前記メッシュスクリーンの色と同じ色とする場合もある。
【００１６】
本発明は、前記光硬化性インクが紫外線硬化インクであり、前記光照射ランプが紫外線照射ランプであることを特徴とする
【００１７】
本発明によれば、速乾性に優れた紫外線硬化インクを用いて描画しながら前記インクジェットプリンタに備わった紫外線照射ランプによって硬化させることで、より短時間でスクリーン印刷版を仕上げることができる。
【００１８】
前記メッシュスクリーンに描画しながら硬化させる作業は、１回でもよいし、複数回繰り返すこともできる。
【００１９】
本発明は、前記メッシュスクリーンに描画しながら硬化させる作業を複数回繰り返すことを特徴とする。
【００２０】
本発明によれば、前記描画による膜厚を大きくすることが容易となる。
【００２１】
本発明は、前記メッシュスクリーンが前記版枠と相対していない側の面をＡ面とし、前記Ａ面と反対側のＢ面に撥水性シートを接しさせた状態で前記Ａ面に描画しながら硬化させることを特徴とする。
【００２２】
本発明によれば、前記描画された面の反対側から前記光硬化性インクが液ダレすることを防止できる。
【００２３】
前記撥水性シートの材質としては、シリコーン、フッ素樹脂、ポリプロピレン等が挙げられる。前記撥水性シートの下側に、スポンジ、樹脂製ブロック、木製ブロック、金属製ブロックなどを配することで、前記メッシュスクリーンに前記撥水性シートを接しさせることがより確実なものとなる。前記撥水性シートとしては、いわゆる離型シート、離型フィルムを用いることができる。
【００２４】
本発明は、前記メッシュスクリーンが前記版枠と相対していない側の面をＡ面とし、前記Ａ面と反対側のＢ面に粘着性フィルムを貼着させた状態で前記Ａ面に描画しながら硬化させ、その後、前記粘着性フィルムを剥離させることを特徴とする。
【００２５】
前記粘着性フィルムの材質としては、ポリプロピレンやポリエチレン等が挙げられる。
【００２６】
本発明によれば、前記描画された面の反対側に前記光硬化性インクが回り込むことがなく、膜厚を小さくすることが容易となる。
【００２７】
本発明のスクリーン印刷版の製造方法は、硬質材からなるメッシュスクリーンの両面に感光性樹脂層が形成されていない状態でインクジェットプリンタの基台の所定位置に載置し、前記メッシュスクリーンが版枠と相対しない側の面に向けてインクジェットプリンタの印刷ヘッドから光硬化性インクを吐出し前記メッシュスクリーンに描画しながら相対位置を移動させて前記インクジェットプリンタの光照射ランプから光を照射し前記メッシュスクリーンの光硬化性インクを硬化させ、その後、前記メッシュスクリーンを版枠に接合してスクリーン印刷版とすることを特徴とする。
【００２８】
本発明によれば、メッシュスクリーンに感光乳剤を塗布して感光性樹脂層を形成すること自体がないから安定した描画作業を簡易に行うことができる。そして、描画しながら前記メッシュスクリーンの光硬化性インクを硬化させるので、短時間でスクリーン印刷版を仕上げることができる。そして、硬質材からなるメッシュスクリーンは、その形状が変化し難いから、軟質材からなるメッシュスクリーンのように張設しなくとも、版枠に接合させることができる。
【００２９】
ここで、前記硬質材とは、その形状が変化し難い材質であり、例えばステンレス糸やアルミニウム糸などの硬質金属糸の織物から構成される。また、前記軟質材とは、その形状が変化し易い材質であり、例えばナイロン糸やポリエステル糸などからなる合成繊維の織物から構成される。
【００３０】
前記硬質材からなるメッシュスクリーンは、描画したときの形状を維持しつつ、版枠に接合される。前記接合は、接着剤による接着、両面テープによる接着、ネジ止め、その他の固定手段による固定である。
【００３１】
前記軟質材からなるメッシュスクリーンは、テンションを掛ける必要があるため、予め版枠に張設されており、張設したときの形状を維持しつつ、描画される。
【００３２】
本発明は、前記メッシュスクリーンが前記版枠と相対していない側の面をＡ面とし、前記Ａ面に描画しながら硬化させてスクリーン印刷版とした後、前記スクリーン印刷版を反転して前記基台の所定位置に載置し、前記Ａ面と反対側のＢ面に向けて前記インクジェットプリンタの印刷ヘッドから光硬化性インクを吐出し前記Ａ面の画に重ね合わせて前記Ｂ面に描画しながら相対位置を移動させて前記インクジェットプリンタの光照射ランプから光を照射し前記メッシュスクリーンの光硬化性インクを硬化させて、スクリーン印刷版としてもよい。本発明によれば、前記メッシュスクリーンの両面に描画し硬化することで、膜厚をさらに大きくすることが容易となる。
【発明の効果】
【００３３】
本発明のスクリーン印刷版の製造方法によれば、メッシュスクリーンの両面に感光性樹脂層が形成されていないスクリーン版にインクジェットで描画するので、メッシュスクリーンに感光乳剤を塗布して感光性樹脂層を形成すること自体がないから安定した描画作業を簡易に行うことができる。
【００３４】
本発明のスクリーン印刷版の製造方法によれば、硬質材からなるメッシュスクリーンの両面に感光性樹脂層が形成されていない状態でインクジェットで描画するので、メッシュスクリーンに感光乳剤を塗布して感光性樹脂層を形成すること自体がないから安定した描画作業を簡易に行うことができる。
【００３５】
本発明によれば、描画しながら前記メッシュスクリーンの光硬化性インクを硬化させるので、短時間でスクリーン印刷版を仕上げることができる。本発明によれば、速乾性に優れた紫外線硬化インクを用いて描画しながら前記インクジェットプリンタに備わった紫外線照射ランプによって硬化させることで、より短時間でスクリーン印刷版を仕上げることができ、作業性が飛躍的に向上する。
【図面の簡単な説明】
【００３６】
【図１】本発明のスクリーン印刷版を製造するために、スクリーン版をインクジェットプリンタの基台に載置した状態を示す斜視図である。
【図２】本発明の第１の実施形態のスクリーン印刷版とインクジェットプリンタの配置関係を模式的に示す断面図である。
【図３】本発明の第２の実施形態のスクリーン印刷版とインクジェットプリンタの配置関係を模式的に示す断面図である。
【図４】本発明の第３の実施形態のスクリーン印刷版とインクジェットプリンタの配置関係を模式的に示す断面図である。
【図５】本発明の第４の実施形態のスクリーン印刷版を模式的に示す断面図であり、（ａ）はメッシュスクリーンとインクジェットプリンタの配置関係を示す断面図であり、（ｂ）はスクリーン印刷版を示す断面図である。
【図６】本発明の実施形態のスクリーン印刷版を例示する図であり、（ａ）は底面図であり、（ｂ）は平面図である。
【図７】本発明の実施形態のスクリーン印刷版の使用態様を模式的に示す断面図である。
【発明を実施するための形態】
【００３７】
以下、本発明を実施するための形態を図面を引用しながら説明する。
【００３８】
（第１の実施の形態）
図１は、本発明のスクリーン印刷版を製造するために、スクリーン版をインクジェットプリンタの基台に載置した状態を示す斜視図である。図２は、本発明の第１の実施形態のスクリーン印刷版とインクジェットプリンタの配置関係を模式的に示す断面図である。図２は、図１における矢印符号ｃ方向から見たときの断面図である。図１に例示するインクジェットプリンタ１０は、基台１４上をヘッド部１１が矢印符号ａ１方向に水平移動して描画する。インクジェットプリンタ１００のヘッド部１１には、印刷ヘッド１２と光照射ランプ１３が内蔵されている（図２）。インクジェットプリンタ１０は、既知の装置が適用可能であることからその説明を一部省略することとし、図１と図２では、本発明に係る主要部のみを簡略化して表している。
【００３９】
図６は、本発明の実施形態のスクリーン印刷版を例示する図であり、図６（ａ）は底面図であり、図６（ｂ）は平面図である。本実施形態のスクリーン印刷版１は、メッシュスクリーン２が版枠４に張設されているが当該メッシュスクリーン２の両面には感光性樹脂層が形成されていないスクリーン版に、光硬化性インク３によって描画されたものである。
前記メッシュスクリーン２は、合成繊維の織物から構成される。合成繊維としては、ナイロン、ポリエステル、これらの複合繊維等が挙げられる。熱可塑性樹脂の合成繊維からなる織物であることで、ほつれ難くすることが容易である。メッシュスクリーン２の色としては、描画の作業性を考慮して、黄色、白色、緑色などの有色が選定される。黄色は、光がまっすぐに進み易くなることから好ましい。
前記版枠４は、アルミニウムやステンレスなどの金属製の四角枠である（図６（ａ）（ｂ））。
前記光硬化性インク３は、既知のインクジェットプリント用光硬化性インクが適用される。光硬化性インク３の色としては、描画の識別性を考慮して、メッシュスクリーン２の色とは異なる色が選定され、黒色、赤色、青色などの有色が選定される。黒色は、画像のエッジが峻別し易くなることから好ましい。前記光硬化性インク３は、紫外線硬化インクである。
【００４０】
図７は、本実施形態のスクリーン印刷版の使用態様を模式的に示す断面図であり、スクリーン印刷を示している。紫外線硬化インク３にて描画された非印刷部はメッシュスクリーン２の小孔を塞ぎ、印刷部はインキ５００が透過するように加工されており、スキージ４００を矢印符号ｂ１方向に動かすことでメッシュスクリーン２の片面全体にインキ５００を押し広げ、押圧によって被印刷物２００に転写し印刷を施す。被印刷物２００が柔らかい素材などの場合は、平坦な基台３００に載置する。スクリーン印刷は、プリント回路基板、液晶ディスプレイ用基板、文房具、スポーツ用品、Ｔシャツ、陶磁器、看板、ポスター、ステッカー、シート、標識、旗など、多彩な媒体に印刷できるため、工業生産に適しており広範囲に普及している。
ここでは、説明の都合上、メッシュスクリーン２が版枠４と相対していない側の面をＡ面（符号２ａ）とし、Ａ面２ａと反対側の面をＢ面（符号２ｂ）として、説明する（図２〜図７）。
【００４１】
本実施形態のスクリーン印刷版１の製造方法は、メッシュスクリーン２が版枠４に張設されているが当該メッシュスクリーン２の両面には感光性樹脂層が形成されていないスクリーン版を、インクジェットプリンタ１０の水平で平坦な基台１４の所定位置に載置し、メッシュスクリーン２が版枠４と相対していない側のＡ面２ａに向けてインクジェットプリンタ１０の印刷ヘッド１２から紫外線硬化性インク３を吐出しメッシュスクリーン２に描画しながら相対位置を移動させてインクジェットプリンタ１０の紫外線照射ランプ１３から紫外線を照射しメッシュスクリーン２の紫外線硬化性インク３を硬化させて、スクリーン印刷版１とする（図１、図２）。
【００４２】
本実施形態によれば、メッシュスクリーン２に感光乳剤を塗布して感光性樹脂層を形成するための設備と前記感光性樹脂層を露光して現像する設備が不要となるので製造工程が簡略化できるうえ、現像液や洗浄液などの薬液を消費しないので環境負荷が抑えられる。すなわち、本実施形態によれば、メッシュスクリーン２の両面に感光性樹脂層が形成されていないスクリーン版にインクジェットで描画するので、メッシュスクリーン２に感光乳剤を塗布して感光性樹脂層を形成すること自体がないから安定した描画作業を簡易に行うことができる。そして、描画しながらメッシュスクリーン２の紫外線硬化性インク３を硬化させるので、短時間でスクリーン印刷版１を仕上げることができる。
【００４３】
また本実施形態によれば、印刷ヘッド１２とメッシュスクリーン２との距離を版枠４の厚みよりも短い距離に設定できるので、より輪郭が鮮明な描画を施すことが容易となる（図１、図２）。
【００４４】
本実施形態では、前記メッシュスクリーン２に描画しながら硬化させる作業は、１回でもよいし、複数回繰り返すこともできる。前記メッシュスクリーン２に描画しながら硬化させる作業を複数回繰り返すことで、前記描画による膜厚を大きくすることが容易となる。
【００４５】
例えば、ポスター、ステッカー、シート、紙製品などで、印刷の膜厚が小さい場合には、前記メッシュスクリーン２に描画しながら硬化させる作業を、１回で済ませてもよいし、１０回以内で繰り返すこともできる。
例えば、スポーツ用品、Ｔシャツ、旗、布製品などで、印刷の膜厚が大きい場合には、前記メッシュスクリーン２に描画しながら硬化させる作業を、２回以上繰り返すことが好ましく、１００回以内で繰り返すこともできる。
【００４６】
（第２の実施の形態）
図３は、本発明の第２の実施形態のスクリーン印刷版とインクジェットプリンタの配置関係を模式的に示す断面図である。図３は、図１における矢印符号ｃ方向から見たときの断面図である。ここで、同一の符号は同じ機能を示しており、その説明を一部省略する。
【００４７】
図３に示す例では、メッシュスクリーン２が版枠４と相対するＢ面２ｂに撥水性シート６を接しさせた状態で、メッシュスクリーン２が版枠４と相対していないＡ面２ａに描画しながら硬化させる。
【００４８】
前記撥水性シート６の材質としては、シリコーン、フッ素樹脂、ポリプロピレン等が挙げられる。撥水性シート６の下側には、ブロック７が配置されている（図３）。ブロック７は、スポンジ、樹脂製ブロック、木製ブロック、金属製ブロックなどからなる。ブロック７は、例えばスポンジフォームであり、版枠４をインクジェットプリンタ１０の基台１４から若干持ち上げる厚みとなっている（図３）。これによって、メッシュスクリーン２に撥水性シート６を接しさせることがより確実なものとなる。
【００４９】
本実施形態によれば、前記描画された面の反対側となるＢ面２ｂから紫外線硬化性インク３が液ダレすることを防止できる。
【００５０】
（第３の実施の形態）
図４は、本発明の第３の実施形態のスクリーン印刷版とインクジェットプリンタの配置関係を模式的に示す断面図である。図４は、図１における矢印符号ｃ方向から見たときの断面図である。ここで、同一の符号は同じ機能を示しており、その説明を一部省略する。
【００５１】
図４に示す例では、メッシュスクリーン２が版枠４と相対するＢ面２ｂに粘着性フィルム９を貼着させた状態で、メッシュスクリーン２が版枠４と相対していないＡ面２ａに描画しながら硬化させ、その後、前記粘着性フィルム９を剥離させる。
【００５２】
前記粘着性フィルム９の材質としては、ポリプロピレンやポリエチレン等が挙げられる。
【００５３】
本実施形態によれば、前記描画された面の反対側に紫外線硬化インク３が回り込むことがなく、膜厚を小さくすることが容易となる。
【００５４】
（第４の実施の形態）
図５は、本発明の第４の実施形態のスクリーン印刷版を模式的に示す断面図である。図５（ａ）はメッシュスクリーンとインクジェットプリンタの配置関係を示す断面図であり、図５（ｂ）はスクリーン印刷版を示す断面図である。本実施形態では、硬質材からなるメッシュスクリーン２となっている。前記硬質材とは、その形状が変化し難い材質であり、例えばステンレス糸やアルミニウム糸などの硬質金属糸の織物から構成される。
【００５５】
図５（ａ）に示す例では、硬質材からなるメッシュスクリーン２のＢ面２ｂに撥水性シート６を接しさせた状態で、硬質材からなるメッシュスクリーン２のＡ面２ａに描画しながら硬化させる。その後、硬質材からなるメッシュスクリーン２を、描画したときの形状を維持しつつ、版枠に、接着剤などの接合手段で接合し固定する（図５（ｂ））。
【００５６】
本実施形態によれば、前記描画された面の反対側となるＢ面２ｂから紫外線硬化性インク３が液ダレすることを防止できる。
【００５７】
本実施形態は、上記の内容に限定されない。例えば硬質材からなるメッシュスクリーン２のＢ面２ｂに粘着性フィルム９を貼着させた状態で、硬質材からなるメッシュスクリーン２のＡ面２ａに描画しながら硬化させ、その後、前記粘着性フィルム９を剥離させてもよい。また、例えばメッシュスクリーン２のＢ面２ｂに紙を敷く場合や、何も敷かない場合もあり得る。
【００５８】
上述した実施の形態では、メッシュスクリーン２のＡ面２ａに向けてインクジェットプリンタ１０の印刷ヘッド１２から紫外線硬化性インク３を吐出しメッシュスクリーン２に描画しながら相対位置を移動させてインクジェットプリンタ１０の紫外線照射ランプ１３から紫外線を照射しメッシュスクリーン２の紫外線硬化性インク３を硬化させる例を挙げて説明したが、本発明はこれに限定されるものではなく、印刷ヘッド１２から光硬化性インクを吐出し描画しながら相対位置を移動させて光照射ランプにて前記光硬化性インクを硬化させる方式を含んでいる。
【００５９】
本発明は、上述した実施の形態に限定されず、例えば、メッシュスクリーン２のＡ面２ａに向けて光硬化性インク３を吐出し描画しながら硬化させた後、前記メッシュスクリーン２のＢ面２ｂに向けて光硬化性インク３を吐出しＡ面２ａの画に重ね合わせてＢ面２ｂに描画しながら硬化させて、膜厚をさらに大きくしてもよい。このように、本発明は、その趣旨を逸脱しない範囲で適宜変更が可能であることはいうまでもない。
【符号の説明】
【００６０】
１                            本発明のスクリーン印刷版、
２                            メッシュスクリーン、
２ａ    Ａ面（メッシュスクリーンが版枠と相対していない側の面）、
２ｂ    Ｂ面（メッシュスクリーンが版枠と相対している側の面）、
３                            光硬化性インク（紫外線硬化性インク）、
４                            版枠、
１０                          インクジェットプリンタ、
１１                          ヘッド部
１２                          印刷ヘッド、
１３                          光照射ランプ（紫外線照射ランプ）、
【図１】
2015131456.tif 000003
【図２】
2015131456.tif 000004
【図３】
2015131456.tif 000005
【図４】
2015131456.tif 000006
【図５】
2015131456.tif 000007
【図６】
2015131456.tif 000008
【図７】
2015131456.tif 000009